(57)【要約】【課題】信号灯制御回路にバイパス回路および選択機構を設けることで、低コストで且つ容易に、信号灯制御回路が故障した場合に特定の信号灯を点灯する信号灯制御回路を提供する。【解決手段】信号灯制御リレー、コモンカットリレーを有し、信号灯の点灯あるいは滅灯の制御を行う信号灯制御回路に、信号灯制御回路をバイパスするバイパス回路を設け、バイパス回路にコモンカットリレーのバック接点および特定のバイパス回路のみを有効とする選択機構を組み込むことで、信号灯制御回路に故障が発生した場合に特定の信号灯のみを点灯することを可能とする。【選択図】図１
2010125905.tif 000002
【特許請求の範囲】
【請求項１】
信号灯制御リレーと、コモンカットリレーとを有し、信号灯の点灯あるいは滅灯の制御を行う信号灯制御回路において、
前記信号灯制御回路をバイパスするバイパス回路を設け、前記バイパス回路にコモンカットリレーのバック接点を組み込むことにより、
前記信号灯制御回路の故障を検知して前記コモンカットリレーを扛上し信号灯の点灯回路を開放した場合に、バック接点が短絡して前記バイパス回路を有効にして前記信号灯を点灯させることを特徴とする信号灯制御回路。
【請求項２】
請求項１に記載の前記信号灯制御回路において、
前記バイパス回路に特定のバイパス回路のみを有効とする選択機構を設け、信号灯制御回路の故障時に特定の信号灯のみを点灯することを特徴とする信号灯制御回路。
【請求項３】
請求項１または２に記載の前記信号灯制御回路において、
信号灯制御リレーとコモンカットリレーとを有する複数の信号灯制御ボードを備えており、前記信号灯制御回路をバイパスするバイパス回路に、前記複数の信号灯制御ボードの各コモンカットリレーのバック接点を直列に接続して組み込むことを特徴とする信号灯制御回路。
【発明の詳細な説明】
【技術分野】
【０００１】
本発明は、鉄道信号保安装置に用いられる信号灯の制御回路に関する。
【背景技術】
【０００２】
鉄道信号保安装置における信号灯制御回路は、複数の信号灯の進行現示（青）あるいは停止現示（赤）などの点灯および滅灯制御を実施している。従来の信号灯制御回路は、制御回路にコモンカットリレーの接点を組込み、故障が発生した場合にはコモンカットリレーを落下することで、コモンカットリレーの接点を開放し全ての信号灯を滅灯し、進行現示の誤出力を防止する安全側（フェールセーフ）の制御を実施している。
【０００３】
信号灯が全て滅灯状態である場合、鉄道車両の運転士は、信号系統の異常と判断して、列車を進路外方に停車させる運用を実施しているが、夜間などで信号機の設置位置を誤認識した場合、全ての信号灯が滅灯状態である信号機を見落す可能性がある。
【０００４】
信号灯の全断芯故障に関しては、信号灯の全断芯の検知を実施して、注意灯を点灯する方式などが提案されているが、信号灯制御回路自体が故障した場合、全ての信号灯が滅灯するという課題は解決されない。
【特許文献１】特開平６−４０３３６号公報
【発明の開示】
【発明が解決しようとする課題】
【０００５】
そこで、信号灯制御回路に故障が発生した場合、停止現示あるいは注意を喚起する信号灯を点灯することにより、鉄道車両の運転手の見落しを防止する点で解決すべき課題がある。
【０００６】
この発明の目的は、信号灯制御回路にバイパス回路および選択機構を設けることで、低コストで且つ容易に、信号灯制御回路が故障した場合にあらかじめ指定した信号灯を点灯する信号灯制御回路を提供することである。
【課題を解決するための手段】
【０００７】
上記課題を解決するため、この発明による信号灯制御回路は、信号灯の点灯および滅灯を制御する信号灯制御リレーと、信号灯制御回路の故障時に落下するコモンカットリレーを備えた信号灯制御回路において、信号灯制御リレーの接点とコモンカットリレーの接点をバイパスして信号灯と接続するバイパス回路を設け、前記バイパス回路にコモンカットリレーのバック接点と、特定のバイパス回路のみを有効とする選択機構を設けることを特徴としている。
【０００８】
この信号灯制御回路は、信号灯制御回路が正常である場合は、コモンカットリレーが扛上状態であり、信号灯制御リレーを扛上することで信号灯を点灯、落下することで信号灯を滅灯する。信号灯制御回路に故障が発生した場合、コモンカットリレーが落下することで信号灯制御リレー経由の信号灯制御回路は開放されるが、バイパス回路に組み込んだコモンカットリレーのバック接点が短絡することで、バイパス回路の選択機構で有効となっているバイパス回路が有効となり、当該バイパス回路に接続された特定の信号灯のみを点灯することが可能である。
【発明の効果】
【０００９】
本発明による信号灯制御回路によれば、信号灯制御リレーとコモンカットリレーを有する信号灯制御回路に、信号灯制御リレー接点をバイパスするバイパス回路を設け、バイパス回路にコモンカットリレーのバック接点および選択機構を設けることで、信号灯制御回路に故障が発生した場合、特定の信号灯のみを点灯することができるので、低コスト且つ容易な構成で、安全側である停止現示あるいは注意を喚起する信号灯を点灯し、鉄道車両の運転士が信号機を見落すことを防止し、安全側の運用を実施することができる。
【発明を実施するための最良の形態】
【００１０】
以下、添付した図面を参照して、この発明による信号灯制御回路の実施形態を説明する。
【実施例１】
【００１１】
図１は、本発明の実施例１の信号灯制御回路の回路図である。信号灯制御回路は、信号灯制御ボード１００に実装された回路であり、信号灯制御リレー５０１、５０２、５０３、コモンカットリレー５００、信号灯制御リレー接点１０１、１０２、１０３、コモンカットリレーのＡ接点（フロント接点）、１０７およびバイパス回路３００にコモンカットリレーのＢ接点（バック接点）３０４、ジャンパピン３０１、３０２、３０３を備え、外部の信号灯１０４、１０５、１０６、信号灯電源１０８に接続する。
【００１２】
信号灯制御リレー接点１０１、１０２、１０３は、それぞれ信号灯１０４、１０５、１０６に接続され、信号灯制御リレー５０１、５０２、５０３の扛上で点灯制御、落下で滅灯制御を実施する。信号灯制御リレー接点１０１、１０２、１０３の回路にコモンカットリレーのＡ接点１０７が接続される。コモンカットリレーのバック接点であるコモンカットリレーのＢ接点３０４は、バイパス回路３００に実装され、信号灯１０４、１０５、１０６に接続される。バイパス回路のコモンカットリレーのＢ接点３０４と信号灯１０４、１０５、１０６の間には、ジャンパピン３０１、３０２、３０３がそれぞれ実装される。
【００１３】
信号灯制御回路に異常が発生した場合、コモンカットリレー５００が落下し、コモンカットリレーのＡ接点１０７が開放状態となり信号灯制御リレーによる制御回路は無効となるが、コモンカットリレーのＢ接点３０４が短絡状態となることでバイパス回路３００が有効となる。図１においては、コモンカットリレーのＢ接点３０４と信号灯１０４、１０５、１０６の間のジャンパピン３０３のみが接続された状態であり、信号灯１０６のみが点灯し、信号灯１０４、１０５は滅灯する。本信号灯制御回路は、ジャンパピンの設定により特定の信号灯、例えば、安全側である停止現示あるいは注意を喚起する信号灯を選択して点灯することが可能である。
【実施例２】
【００１４】
図２は、本発明の実施例２の信号灯制御回路の回路図である。信号灯制御回路は、信号灯制御ボード１００、２００に実装された回路であり、信号灯制御リレー５０１、５０２、５０３、コモンカットリレー５００、信号灯制御リレー接点１０１、１０２、１０３、コモンカットリレーのＡ接点（フロント接点）、１０７およびバイパス回路３００にコモンカットリレーのＢ接点（バック接点）３０４，３０５、ジャンパピン３０１、３０２、３０３を備え、外部の信号灯１０４、１０５、１０６、信号灯電源１０８に接続する。
【００１５】
信号灯制御リレー接点１０１、１０２、１０３は、それぞれ信号灯１０４、１０５、１０６に接続され、信号灯制御リレー５０１、５０２、５０３の扛上で点灯制御、落下で滅灯制御を実施する。信号灯制御リレー接点１０１、１０２、１０３の回路にコモンカットリレーのＡ接点１０７が接続される。信号灯制御ボード１００のコモンカットリレーのバック接点であるコモンカットリレーのＢ接点３０４と信号灯制御ボード２００のコモンカットリレーのバック接点であるコモンカットリレーのＢ接点３０５とは、バイパス回路３００に直列に接続して実装され、信号灯１０４、１０５、１０６に接続される。バイパス回路のコモンカットリレーのＢ接点３０５と信号灯１０４、１０５、１０６の間には、ジャンパピン３０１、３０２、３０３がそれぞれ実装される。
【００１６】
信号灯制御ボード１００、２００は、２重系冗長構成であり、同一の信号灯制御回路を備える。信号灯制御回路が正常である場合、信号灯点灯制御指示により信号灯制御リレー５０１が扛上されると、信号灯制御リレー接点１０１が短絡することにより、信号灯１０４が点灯する。信号灯滅灯制御指示により信号灯制御リレー５０１が落下となると、信号灯制御リレー接点１０１が開放することにより、信号灯１０４が滅灯する。信号灯制御リレー５０２、５０３、信号灯制御リレー接点１０２、１０３および信号灯１０５、１０６も同様の制御を実施する。
【００１７】
信号灯制御回路が正常時は、コモンカットリレーのＡ接点１０７は短絡状態であり、バック接点であるコモンカットリレーのＢ接点３０４は開放状態になるため、バイパス回路は有効にならない。
【００１８】
信号灯制御回路に異常が発生した場合、コモンカットリレー５００が落下し、コモンカットリレーのＡ接点１０７が開放状態となり信号灯制御リレーによる制御回路は無効となるが、コモンカットリレーのＢ接点３０４が短絡状態となることでバイパス回路が有効となる。
【００１９】
図１、２においては、コモンカットリレーのＢ接点３０４またはＢ接点３０５と信号灯１０４、１０５、１０６の間のジャンパピン３０３のみが接続された状態であり、信号灯１０６のみが点灯し、信号灯１０４、１０５は滅灯する。本信号灯制御回路は、ジャンパピンの設定により特定の信号灯、例えば、安全側である停止現示あるいは注意を喚起する信号灯を選択して点灯することが可能である。
【００２０】
図１、２においては、バイパス回路の選択機能にジャンパピンを用いたが、その他のスイッチを用いても特定のバイパス回路のみを有効とすることは可能である。信号灯制御ボード１００、２００は２重系冗長構成であるため、両方のボードの信号灯制御回路に異常が発生した場合に、バイパス回路は有効となる。
【図面の簡単な説明】
【００２１】
【図１】図１は、本発明の実施例１の信号灯制御回路の回路図である。
【図２】図２は、本発明の実施例２の信号灯制御回路の回路図である。
【符号の説明】
【００２２】
１００    信号灯制御ボード
１０１〜１０３    信号灯制御リレー接点
１０４〜１０６    信号灯
１０７    コモンカットリレー（Ａ接点）
１０８    電源
２００    信号灯制御ボード
３００    バイパス回路
３０１〜３０３    ジャンパピン
３０４    コモンカットリレー（Ｂ接点）
３０５    コモンカットリレー（Ｂ接点）
５００    コモンカットリレー
５０１〜５０３    信号灯制御リレー
【図１】
2010125905.tif 000003
【図２】
2010125905.tif 000004